(57)【要約】【課題】シール紙などの印刷媒体を取り出しやすくするとともに、メンテナンス時の手間を省くことができるようにする。【解決手段】本技術を適用した写真作成ゲーム機は、利用者を被写体として撮影を行うカメラと、利用者が写る画像を印刷するプリンタと、メンテナンス用の操作部が設けられた操作ユニットとを備える写真作成ゲーム機である。プリンタが、操作ユニットの上方に設けられ、プリンタと操作ユニットを少なくとも収納する筐体の所定の面に形成された１つの扉を開けたとき、プリンタと操作ユニットが露出する。本技術は、撮影した画像をシール紙に印刷する一連のゲームを提供する写真作成ゲーム機に適用することができる。【選択図】図１２
2019184835.tif 000002
【特許請求の範囲】
【請求項１】
利用者を被写体として撮影を行うカメラと、
前記利用者が写る画像を印刷するプリンタと、
メンテナンス用の操作部が設けられた操作ユニットと
を備える写真作成ゲーム機において、
前記プリンタは、前記操作ユニットの上方に設けられ、
前記プリンタと前記操作ユニットを少なくとも収納する筐体の所定の面に形成された１つの扉を開けたとき、前記プリンタと前記操作ユニットが露出する
写真作成ゲーム機。
【請求項２】
前記扉には、前記プリンタが出力する印刷媒体の取り出し口が形成される
請求項１に記載の写真作成ゲーム機。
【請求項３】
前記取り出し口を構成する、前記扉に形成された開口部にフラップが設けられる
請求項２に記載の写真作成ゲーム機。
【請求項４】
前記フラップは、前記筐体の内側において開閉する
請求項３に記載の写真作成ゲーム機。
【請求項５】
前記フラップは、前記開口部の上縁部に設けられた軸部を介して揺動する
請求項４に記載の写真作成ゲーム機。
【請求項６】
前記扉の内側には、前記プリンタから出力された前記印刷媒体が収納される収納部が設けられ、
前記収納部の底面は、前記開口部の下縁部より低い位置に形成される
請求項３乃至５のいずれかに記載の写真作成ゲーム機。
【請求項７】
前記開口部の下縁部の内側には、前記収納部の底面に向かう斜面が形成される
請求項６に記載の写真作成ゲーム機。
【請求項８】
前記カメラと前記プリンタを含むそれぞれの構成の動作を制御するコンピュータをさらに備え、
前記操作ユニットは、前記コンピュータの上方に設けられる
請求項２乃至７のいずれかに記載の写真作成ゲーム機。
【請求項９】
前記扉を開けたとき、前記プリンタと前記操作ユニットとともに、前記コンピュータが露出する
請求項８に記載の写真作成ゲーム機。
【請求項１０】
前記取り出し口は、前記コンピュータの上面より高い位置に形成される
請求項８または９に記載の写真作成ゲーム機。
【請求項１１】
前記操作部には、前記コンピュータの電源ボタンが含まれる
請求項８乃至１０のいずれかに記載の写真作成ゲーム機。
【請求項１２】
前記操作部には、BGMを含む音声のボリューム調整用のツマミが含まれる
請求項１乃至１１のいずれかに記載の写真作成ゲーム機。
【請求項１３】
利用者を被写体として撮影を行うカメラと、
前記利用者が写る画像を印刷するプリンタと、
前記カメラと前記プリンタを含むそれぞれの構成の動作を制御するコンピュータと
を備える写真作成ゲーム機において、
前記プリンタは、前記コンピュータの上方に設けられ、
前記プリンタと前記コンピュータを少なくとも収納する筐体の所定の面に形成された１つの扉を開けたとき、前記プリンタと前記コンピュータが露出する
写真作成ゲーム機。
【発明の詳細な説明】
【技術分野】
【０００１】
本技術は、写真作成ゲーム機に関し、特に、シール紙などの印刷媒体を取り出しやすくするとともに、メンテナンス時の手間を省くことができるようにする写真作成ゲーム機に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供する装置である。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷する流れとなる。利用者は、編集済みの画像が印刷されたシール紙を所定の位置に設けられた取り出し口から取り出し、ゲームを終了させる。
【先行技術文献】
【特許文献】
【０００４】
【特許文献１】特開２００５-２３４８９３号公報
【特許文献２】特開２０１２-１４１５６０号公報
【発明の概要】
【発明が解決しようとする課題】
【０００５】
特許文献１に記載の写真シール作製機においては、取り出し口が高い位置に設けられているため、利用者はシール紙を立ったまま取り出すことができる。取り出し口の近くにはモニタが設けられており、モニタの表示を用いて、メッセージの入力などが利用者により行われる。
【０００６】
メッセージの入力に用いられるモニタは、メンテナンスのための作業にも用いられる。利用者が作業を行っている間は、オペレーターはメンテナンスを行うことができない。
【０００７】
特許文献２に記載の写真シール作成装置においては、シール紙の取り出し口が設けられている面と同じ面にメンテナンス用の扉が設けられている。オペレーターは、この扉を開けることによって、利用者が編集などを行っている間でも、利用者の作業を邪魔することなく、メンテナンスを行うことができる。
【０００８】
電源の投入やモードの切り替えなどのメンテナンスとともに、シール紙の補充などのプリンタのメンテナンスを１つのメンテナンス用の扉を開けるだけで行うことができれば便利である。
【０００９】
本技術は、このような状況に鑑みてなされたものであり、シール紙などの印刷媒体を取り出しやすくするとともに、メンテナンス時の手間を省くことができるようにするものである。
【課題を解決するための手段】
【００１０】
本技術の第１の写真作成ゲーム機は、利用者を被写体として撮影を行うカメラと、前記利用者が写る画像を印刷するプリンタと、メンテナンス用の操作部が設けられた操作ユニットとを備える写真作成ゲーム機において、前記プリンタは、前記操作ユニットの上方に設けられ、前記プリンタと前記操作ユニットを少なくとも収納する筐体の所定の面に形成された１つの扉を開けたとき、前記プリンタと前記操作ユニットが露出する。
【００１１】
本技術の第２の写真作成ゲーム機は、利用者を被写体として撮影を行うカメラと、前記利用者が写る画像を印刷するプリンタと、前記カメラと前記プリンタを含むそれぞれの構成の動作を制御するコンピュータとを備える写真作成ゲーム機において、前記プリンタは、前記コンピュータの上方に設けられ、前記プリンタと前記コンピュータを少なくとも収納する筐体の所定の面に形成された１つの扉を開けたとき、前記プリンタと前記コンピュータが露出する。
【００１２】
本技術の第１の写真作成ゲーム機においては、プリンタと操作ユニットを少なくとも収納する筐体の所定の面に形成された１つの扉を開けたとき、プリンタと操作ユニットが露出する。
【００１３】
本技術の第２の写真作成ゲーム機においては、プリンタとコンピュータを少なくとも収納する筐体の所定の面に形成された１つの扉を開けたとき、プリンタとコンピュータが露出する。
【発明の効果】
【００１４】
本技術によれば、シール紙などの印刷媒体を取り出しやすくするとともに、メンテナンス時の手間を省くことができる。
【図面の簡単な説明】
【００１５】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニット側面パネルの構成例を示す図である。
【図９】写真シール作成装置の構成例を示すブロック図である。
【図１０】写真シール作成装置の機能構成例を示すブロック図である。
【図１１】写真シール作成ゲーム処理について説明するフローチャートである。
【図１２】印刷済みのシール紙の取り出しの様子を示す図である。
【図１３】床に近い位置に取り出し口が設けられている場合のシール紙の取り出しの様子を示す図である。
【図１４】メンテナンス用扉を開けた状態を示す図である。
【図１５】編集ユニットの筐体の内部を示す図である。
【図１６】プリンタの排出口の位置とメンテナンス用扉に形成された開口部との位置関係を示す図である。
【図１７】各装置の重なりの状態の例を示す図である。
【図１８】各装置の並び順の例を示す図である。
【図１９】編集ユニットの側面の構成例を示す図である。
【図２０】編集ユニットの正面の構成例を示す図である。
【図２１】タブレット内蔵モニタに表示される画面の見え方の例を示す図である。
【図２２】シール取り出し口の近傍の拡大図である。
【図２３】シール取り出し口の構成例を示す断面図である。
【図２４】フラップが開いた状態を示す図である。
【図２５】シール取り出し口の位置の例を示す図である。
【発明を実施するための形態】
【００１６】
＜写真シール作成装置の外観＞
図１および図２は、写真シール作成装置１の外観の構成例を示す斜視図である。
【００１７】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００１８】
写真シール作成装置１の利用者は、主に女子高校生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１９】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２０】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２１】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離した状態で設置される。撮影部２１と背景部２２の間に形成される空間が、撮影処理が行われる撮影空間となる。
【００２２】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２３】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２４】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２５】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａと略同じ幅の板状の部材である。側面パネル５２Ｂは、背面パネル５１の右端に取り付けられ、側面パネル４１Ｂと略同じ幅の板状の部材である。
【００２６】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、例えば金属製の部材である連結部２３Ａ’によって連結される。
【００２７】
側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２８】
撮影空間の床には、例えば樹脂製の床シート２７が敷かれる。床シート２７は、デザイン性の高いピンク色一色に色付けされている。
【００２９】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３０】
側面パネル４１Ａ、連結部２３Ａ、および側面パネル５２Ａによって形成される出入り口には、連結部２３Ａの天面から垂下するようにして、図示せぬ出入り口カーテンが取り付けられる。同様に、側面パネル４１Ｂ、連結部２３Ｂ、および側面パネル５２Ｂによって形成される出入り口にも、連結部２３Ｂの天面から垂下するようにして、図示せぬ出入り口カーテンが取り付けられる。
【００３１】
撮影空間の上方には、撮影部２１の正面、連結部２３Ａ、および連結部２３Ｂに囲まれた天井が形成される。その天井には、例えば樹脂製の天井シート２４が設けられる。天井シート２４の一端が連結部２３Ａに固定され、他端が連結部２３Ｂに固定される。
【００３２】
天井シート２４の一部に通気孔を設けてもよい。例えば、天井シート２４の両端（連結部２３Ａ側と連結部２３Ｂ側）に四角形状で示された部分を通気孔としてもよい。また、四角形状で示された部分が、光が入射する透明な部材で形成されていてもよい。
【００３３】
編集ユニット１２は、撮影画像に編集を施すための装置である。編集ユニット１２は、一方の側面が撮影部２１の正面パネル４２に接するようにして、撮影ユニット１１に連結している。
【００３４】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３５】
編集ユニット１２の正面側は、面６１と、面６１の上方に形成された斜面６２から構成される。面６１は、床面に対して垂直な面であり、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。
【００３６】
編集ユニット１２の左側面（撮影部２１の正面パネル４２とは反対側の側面）には、板状の部材である編集ユニット側面パネル６５が設けられる。編集ユニット側面パネル６５は、例えば１０ｃｍ程度の厚さをもった板状に形成されている。
【００３７】
編集ユニット側面パネル６５の、図１に示される編集ユニット１２の正面側の側面（縁面）は、側面パネル４１Ａおよび側面パネル５２Ａと、ほぼ同一平面をなす。また、編集ユニット側面パネル６５の、図２に示される編集ユニット１２の背面側の側面（縁面）は、側面パネル４１Ｂおよび側面パネル５２Ｂと、ほぼ同一平面をなす。さらに、編集ユニット側面パネル６５の上面（天面）は、撮影空間の天井を構成する天井シート２４と、ほぼ同一平面をなす。
【００３８】
このような構造により、写真シール作成装置１は、全体として直方体形状の筐体を有するように構成される。
【００３９】
編集ユニット１２の上方にはカーテンフレーム２６Ａ，２６Ｂが取り付けられる。平行に設けられるカーテンフレーム２６Ａとカーテンフレーム２６Ｂの一端は、連結部２３Ａと連結部２３Ｂにそれぞれ固定される。カーテンフレーム２６Ａとカーテンフレーム２６Ｂの他端は、編集ユニット側面パネル６５の両側面の上端にそれぞれ接合される。
【００４０】
カーテンフレーム２６Ａ，２６Ｂには、編集ユニット１２の正面前方の空間と背面前方の空間が外から見えないように、図示せぬカーテンが取り付けられる。カーテン、撮影部２１の正面パネル４２、および編集ユニット側面パネル６５により囲まれる編集ユニット１２の正面前方の空間と背面後方の空間が、利用者が編集作業を行う編集空間となる。
【００４１】
後述するように、編集ユニット側面パネル６５には、印刷済みのシール紙を利用者に提供するシール取り出し口が設けられる。編集ユニット側面パネル６５の前方の空間が、印刷済みのシール紙が提供されるのを利用者が待つ印刷待ち空間となる。
【００４２】
編集空間から印刷待ち空間に利用者が移動する際の安全性を考慮して、編集ユニット側面パネル６５の両側面と編集空間側の面とがなす角部は、面取り（Ｒ面取り）されている。
【００４３】
＜利用者の移動について＞
ここで、写真シール作成ゲームの流れと、それに伴う利用者の移動について説明する。
【００４４】
図３は、写真シール作成装置１を上から見た平面図である。
【００４５】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４６】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４７】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４８】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４９】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５０】
印刷待ち空間Ａ３に移動した利用者は、印刷が終わるのを待つ。印刷が終了すると、利用者は、編集ユニット側面パネル６５に設けられたシール取り出し口に排出されたシール紙を受け取り、一連の写真シール作成ゲームを終える。
【００５１】
次に、各装置の構成について説明する。
【００５２】
＜事前選択部の構成＞
図４は、事前選択部２０の構成例を示す図である。
【００５３】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００５４】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５５】
なお、事前選択部２０として、側面パネル４１Ａに設けられるタッチパネルモニタ７１、スピーカ７２、および硬貨投入返却口７３は、いずれも側面パネル４１Ａの表面から突出しないようにして設けられる。
【００５６】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５７】
正面パネル４２の略中央には、箱状のカメラユニット８１が設けられる。カメラユニット８１の正面には、カメラ９１とタッチパネルモニタ９２が設けられる。
【００５８】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。
【００５９】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６０】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００６１】
カメラユニット８１の上方には、曲面の発光面を利用者に向けた上ストロボユニット８２が設置される。上ストロボユニット８２は、利用者の正面上方から、利用者の顔および上半身に光を照射する。上ストロボユニット８２の発光面の内側には、常時点灯する電球と、撮影タイミングで発光するストロボ発光管が配置されている。
【００６２】
カメラユニット８１と上ストロボユニット８２との間には、下側に弧を描く半月状の発光面を有するカメラ上ストロボ８３が設けられる。カメラ上ストロボ８３は、正面パネル４２に埋め込まれるようにして設けられる。
【００６３】
カメラユニット８１の下方には、利用者の下半身および足元に光を照射する下箱ストロボユニット８４が設けられる。下箱ストロボユニット８４の発光面は、側面パネル４１Ａと側面パネル４１Ｂとの間に隙間なく形成される。下箱ストロボユニット８４の発光面の内側にも、常時点灯する電球と、撮影タイミングで発光するストロボ発光管が配置されている。
【００６４】
上述したように、上ストロボユニット８２および下箱ストロボユニット８４は、常時点灯する電球と、撮影タイミングで発光するストロボ発光管を内蔵している。これにより、上ストロボユニット８２および下箱ストロボユニット８４は、撮影空間を明るくして利用者の操作性や安全性を確保するために、撮影空間内を常時照らすとともに、撮影画像の見栄えをより良くするために、撮影タイミングでストロボ発光し、被写体となる利用者に光を照射する。
【００６５】
なお、正面パネル４２の例えば天井付近にスピーカが設けられる。スピーカから、撮影処理の案内音声、BGM、効果音などが出力される。スピーカが、正面パネル４２ではなく、後述する背景部２２に設けられるようにしてもよい。
【００６６】
＜背景部の構成＞
図６は、背景部２２の撮影空間Ａ１側の構成例を示す図である。
【００６７】
第１の背面パネルとして構成される背面パネル５１の撮影空間側には、背面パネル５１との間に所定の間隙を形成し、その下端が撮影空間Ａ１の床面から所定の高さより上に設けられる背面パネル１０１が、第２の背面パネルとして配置されている。背面パネル１０１は、背面パネル５１と側面パネル５２Ａ，５２Ｂとの間に閉空間を形成するようにして設けられる。
【００６８】
以下、適宜、背面パネル５１を外側背面パネル５１といい、背面パネル１０１を内側背面パネル１０１という。
【００６９】
内側背面パネル１０１には、その一部として、撮影部２１による撮影により得られる撮影画像の背景となる（背景として写る）背景領域部１１１が形成されている。
【００７０】
背景領域部１１１は、乳白色の平面アクリル板（乳白アクリル板）で構成される。外側背面パネル５１と内側背面パネル１０１との間に形成された間隙（背景領域部１１１の裏側）には、撮影タイミングに合わせて発光するストロボ発光部が設けられる。
【００７１】
これにより、背景領域部１１１は、撮影タイミングで、その領域全体がぼんやりと白く明るく発光するようになる。
【００７２】
内側背面パネル１０１において、背景領域部１１１の左右両側には、スピーカ１１２−１，１１２−２が設けられる。スピーカ１１２−１，１１２−２は、撮影処理の案内音声、BGM、効果音などを撮影空間に向かって出力する。
【００７３】
＜編集ユニットの構成＞
図７は、編集ユニット１２の正面側（編集空間Ａ２−１側）の構成例を示す図である。
【００７４】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００７５】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７６】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００７７】
図８は、編集ユニット１２の左側面に設けられる編集ユニット側面パネル６５の構成例を示す図である。
【００７８】
編集ユニット側面パネル６５は、その正面側（印刷待ち空間側）の面を構成する板状部材として、パネル１５１、メンテナンス用扉１５２、パネル１５３，１５４を有している。
【００７９】
パネル１５１は、編集ユニット側面パネル６５の略上半分を構成する板状の部材である。パネル１５１の下には、メンテナンス用扉１５２が設けられ、メンテナンス用扉１５２の左右にパネル１５３，１５４がそれぞれ設けられる。メンテナンス用扉１５２とパネル１５３，１５４は、パネル１５１と略同一の面を構成する。
【００８０】
メンテナンス用扉１５２は、編集ユニット１２の筐体の左側面を構成し、開閉可能とされる。メンテナンス用扉１５２を開けた場合、編集ユニット１２の筐体内部に収納されたプリンタや、写真シール作成装置１の全体の動作を制御するPCなどが現れる。メンテナンス用扉１５２は、メンテナンス時に写真シール作成装置１の管理者により開けられる。
【００８１】
写真シール作成装置１のメンテナンスには、例えば、プリンタのシール紙の補充、インクカートリッジの交換が含まれる。また、写真シール作成装置１のメンテナンスには、例えば、PCの電源のオン／オフ、PCが実行する、写真シール作成ゲームを行うためのプログラムのバージョンアップ、それぞれの空間に設けられたスピーカのボリュームの調整が含まれる。
【００８２】
メンテナンス用扉１５２の中央付近には、最終的な出力物としてのシール紙を利用者に提供するシール取り出し口１６１が設けられる。編集ユニット１２の内部に設けられるプリンタにより、編集空間Ａ２−１で編集を行った利用者が写る画像、または、編集空間Ａ２−２で編集を行った利用者が写る画像が所定のレイアウトでシール紙に印刷される。印刷済みのシール紙はシール取り出し口１６１に排出される。
【００８３】
シール取り出し口１６１の上方には、例えば、シール紙の排出タイミングで発光する発光部１６２が設けられる。シール取り出し口１６１の下方には、スピーカ１６３が設けられる。スピーカ１６３は、印刷待ち空間にいる利用者に対する案内音声、BGM、効果音などの音を出力する。
【００８４】
＜写真シール作成装置の内部構成＞
図９は、写真シール作成装置１の構成例を示すブロック図である。図９において、上述した構成と同じ構成には同じ符号を付してある。重複する説明については適宜省略する。
【００８５】
図９に示されるように、写真シール作成装置１は、PC(Personal Computer)３０１に対して、事前選択部３０２、撮影部３０４、編集部３０５Ａ，３０５Ｂ、および印刷部３０６が外部入出力インタフェース３０３を介して接続されることによって構成される。PC３０１には、操作ユニット３０７も接続される。PC３０１は、例えば編集ユニット１２の筐体内部に収納される。
【００８６】
PC３０１を構成するCPU(Central Processing Unit)３１１、ROM(Read Only Memory)３１２、RAM(Random Access Memory)３１３は、バス３１４により相互に接続される。
【００８７】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００８８】
バス３１４には、さらに、入出力インタフェース３１５が接続される。入出力インタフェース３１５には、記憶部３１６、通信部３１７、およびドライブ３１８が接続される。また、入出力インタフェース３１５には、操作ユニット３０７が接続される。
【００８９】
操作ユニット３０７には、PC３０１の電源のオン／オフの切り替えに用いられる電源ボタンが設けられる。PC３０１は、電源ボタンが操作され、電源がオンになったときに起動し、写真シール作成装置１の全体の制御を開始する。
【００９０】
また、操作ユニット３０７には、事前選択部３０２のスピーカ７２、撮影部３０４のスピーカ１１２（スピーカ１１２−１，１１２−２）、編集部３０５Ａ，３０５Ｂのスピーカ３４１、印刷部３０６のスピーカ１６３のそれぞれのボリュームの調整に用いられるツマミが設けられる。CPU３１１は、ツマミを用いて行われる管理者（オペレーター）の操作に応じて、各空間のBGMなどの音量を調整する。
【００９１】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９２】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９３】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９４】
入出力インタフェース３１５には外部入出力インタフェース３０３が接続される。PC３０１による各部の制御が、外部入出力インタフェース３０３を介して行われる。
【００９５】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９６】
タッチパネルモニタ７１は、PC３０１による制御に従って各種の選択画面を表示し、選択画面に対する利用者の操作を受け付ける。利用者の操作の内容を表す入力信号はPC３０１に供給され、各種の設定が行われる。
【００９７】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC３０１に出力する。
【００９８】
撮影部３０４は、撮影空間Ａ１にいる利用者を対象とした撮影処理を実現する。撮影部３０４は、前方照明装置３３１、背面照明装置３３２、カメラ９１、タッチパネルモニタ９２、およびスピーカ１１２から構成される。
【００９９】
前方照明装置３３１は、撮影空間Ａ１内の各ストロボユニットのうちの撮影部２１に設けられるストロボユニットである。背面照明装置３３２は、撮影空間Ａ１内の各ストロボユニットのうちの背景部２２に設けられるストロボユニットである。前方照明装置３３１と背面照明装置３３２は、PC３０１から供給される照明制御信号に従って発光する。
【０１００】
カメラ９１は、PC３０１によるシャッタ制御に従って撮影を行い、撮影によって得られた撮影画像（画像データ）をPC３０１に出力する。
【０１０１】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０２】
タブレット内蔵モニタ１３１は、PC３０１による制御に従って編集画面を表示し、編集画面に対する利用者の操作を受け付ける。利用者の操作の内容を表す入力信号はPC３０１に供給され、編集対象となる撮影画像が編集される。
【０１０３】
印刷部３０６は、プリンタ３５１、シール紙ユニット３５２、スピーカ１６３、および照明装置３５４から構成される。シール紙ユニット３５２はプリンタ３５１に装着される。
【０１０４】
プリンタ３５１は、内蔵するヘッド３６１を駆動し、PC３０１から供給された印刷データに基づいて、シール紙ユニット３５２に収納されているロール状のシール紙３６３に画像を印刷する。また、プリンタ３５１は、画像を印刷したシール紙３６３をカッター３６２によってカットして、シール取り出し口１６１に排出する。
【０１０５】
照明装置３５４は、発光部１６２を発光させるための照明器具であり、蛍光管やＬＥＤ照明により構成される。照明装置３５４は、PC３０１から供給される照明制御信号に従って発光する。
【０１０６】
＜写真シール作成装置の機能構成例＞
図１０は、写真シール作成装置１の機能構成例を示すブロック図である。図１０に示す機能部のうちの少なくとも一部は、CPU３１１により所定のプログラムが実行されることによって実現される。
【０１０７】
写真シール作成装置１においては、事前選択処理部４０１、撮影処理部４０２、編集処理部４０３、および印刷処理部４０４が実現される。
【０１０８】
事前選択処理部４０１は、事前選択部３０２の各部を制御することで、事前選択処理を実行する。事前選択処理により、撮影に関するコースの選択が行われる。利用者による選択内容を表す情報は撮影処理部４０２に供給される。
【０１０９】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１１０】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１１１】
編集処理部４０３は、撮影画像の編集を終えた後、編集画像を所定のレイアウトで配置することによって印刷データを生成し、印刷処理部４０４に出力する。
【０１１２】
印刷処理部４０４は、プリンタ３５１に印刷データを出力し、編集画像の印刷を行う。
【０１１３】
＜写真シール作成装置の動作＞
ここで、図１１のフローチャートを参照して、写真シール作成ゲームを提供する写真シール作成装置１の動作について説明する。
【０１１４】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。
【０１１５】
ステップＳ１において、硬貨が投入されたと判定された場合、処理はステップＳ２に進む。ステップＳ２において、事前選択処理部４０１は、事前選択部３０２を制御することで事前選択処理を行う。
【０１１６】
事前選択処理により、例えば、被写体の写りを決定する写りコースの選択などの、撮影に関する選択が行われる。撮影処理部４０２による撮影は、事前選択処理での選択に従って行われる。
【０１１７】
ステップＳ３において、撮影処理部４０２は、撮影部３０４を制御することで、撮影処理を行う。具体的には、撮影処理部４０２は、カメラ９１に取り込まれた被写体の動画像をタッチパネルモニタ９２にライブビュー表示させ、撮影空間Ａ１にいる利用者を被写体として撮影し、撮影画像を生成する。
【０１１８】
撮影処理においては、例えば、被写体の顔および上半身が大きく写る画像であるアップ画像を得るための撮影だけが行われる。アップ画像の撮影であるアップ撮影が例えば８回繰り返される。アップ撮影に加えて、被写体の全身が写る画像である全身画像を得るための全身撮影が行われるようにしてもよい。
【０１１９】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集処理を行う。
【０１２０】
編集処理時、タブレット内蔵モニタ１３１には、各種の編集ツールの選択に用いられるボタンなどが配置された画面が表示される。利用者は、例えば８枚の撮影画像の中から所定の画像を選択し、編集画面に用意される編集ツールを用いて、選択した画像の編集を行う。編集処理部４０３は、編集画面に対する利用者の操作に応じて画像処理を行い、編集済みの撮影画像である編集画像を生成する。
【０１２１】
ステップＳ５において、印刷処理部４０４は、プリンタ３５１を制御することで、印刷処理を行う（開始する）。具体的には、印刷処理部４０４は、編集処理により得られた編集画像をプリンタ３５１に出力してシール紙３６３に印刷する。なお、撮影処理により得られた撮影画像が、編集が施されることなくそのままシール紙３６３に印刷されるようにしてもよい。
【０１２２】
印刷が終了すると、ステップＳ６において、プリンタ３５１は、画像が印刷されたシール紙をシール取り出し口１６１に排出し、処理を終了させる。
【０１２３】
＜シール取り出し口の高さ＞
図１２は、印刷済みのシール紙の取り出しの様子を示す図である。
【０１２４】
上述したように、編集画像が印刷されたシール紙が排出されるシール取り出し口１６１は、メンテナンス用扉１５２の中央付近といったように高い位置に設けられている。
【０１２５】
例えば、床面を基準としたシール取り出し口１６１（シール取り出し口１６１の開口部中央）の高さは６７ｃｍである。これにより、利用者は、図１２に示すように立ったまま、大きくかがむことなく、シール取り出し口１６１に手を伸ばしてシール紙を容易に取り出すことができる。
【０１２６】
仮に、床に近い位置にシール取り出し口１６１が設けられているとした場合、図１３に示すように、利用者は、腰を大きくかがめたり、しゃがんだりして取り出す必要があるが、そのような必要がない。
【０１２７】
シール取り出し口１６１を高い位置に設けるためには、プリンタ３５１を高い位置に設ける必要がある。印刷済みのシール紙は、プリンタ３５１のカッター３６２により切り取られた後、プリンタ３５１の筐体に設けられた排出口から落下し、シール取り出し口１６１の内側に設けられたシール紙受け部に収納される。利用者は、シール紙受け部に収納されたシール紙を取り出すことになる。
【０１２８】
プリンタ３５１は、その排出口がシール取り出し口１６１より高い位置に設定されるように、編集ユニット１２の筐体の内部の高い位置に設けられる。
【０１２９】
図１４は、メンテナンス用扉１５２を開けた状態を示す図である。
【０１３０】
図１４に示すように、メンテナンス用扉１５２は、例えば、右縁に設けられたヒンジを介して開閉可能な扉である。メンテナンス用扉１５２を開けたとき、編集ユニット１２の筐体の内部の構成が現れる。メンテナンス用扉１５２の内側には、印刷済みのシール紙が収納されるシール紙受け部５１１が設けられる。編集ユニット１２の筐体の内部の構成を図１５に拡大して示す。
【０１３１】
図１５に示すように、編集ユニット１２の筐体の内部は、水平面を形成する板状の部材である仕切り部材５０１と仕切り部材５０２によって上下３段に仕切られる。プリンタ３５１は、最上段の、仕切り部材５０１の上に設置される。
【０１３２】
図１５の例においては、プリンタ３５１の正面は縦長長方形の面とされている。正面の略中央には、印刷済みのシール紙が排出される排出口３５１−１が設けられる。図１６に示すように、排出口３５１−１の位置は、シール取り出し口１６１を構成する、メンテナンス用扉１５２に形成された開口部より高い位置となる。
【０１３３】
プリンタ３５１を高い位置に設置することにより、シール取り出し口１６１を高い位置に設けることが可能となる。シール取り出し口１６１を高い位置に設けることより、印刷済みのシール紙の取り出しを容易に行わせることが可能となる。
【０１３４】
プリンタ３５１の位置を上げることにより、プリンタ３５１の下にスペースが空くことになる。写真シール作成装置１においては、プリンタ３５１の下のスペースに、下から順に、PC３０１と操作ユニット３０７が設けられる。PC３０１は編集ユニット１２の底面の上に設置され、操作ユニット３０７は仕切り部材５０２の上に設置される。
【０１３５】
PC３０１の正面には、光ディスクドライブ３０１−１と、USBメモリなどのUSB機器が接続されるUSB端子３０１−２が設けられる。
【０１３６】
光ディスクドライブ３０１−１とUSB端子３０１−２は、例えば、PC３０１のプログラムをバージョンアップさせるときに管理者により用いられる。光ディスクドライブ３０１−１とUSBメモリのドライブは、図９のドライブ３１８に相当する。
【０１３７】
操作ユニット３０７の正面には、ボリューム調整ツマミ３０７−１と電源スイッチ３０７−２が設けられる。
【０１３８】
ボリューム調整ツマミ３０７−１は複数のツマミから構成される。ボリューム調整ツマミ３０７−１の各ツマミは、各空間に設けられたスピーカから出力するBGM等のボリュームの調整に用いられる。電源スイッチ３０７−２は、PC３０１の電源のオン／オフに用いられるスイッチである。他にも、プリンタ３５１の異常状態が回復したときに押下するプリンタスイッチを備えてもよい。
【０１３９】
このように、写真シール作成装置１においては、メンテナンス用扉１５２を開けたとき、上から順に、プリンタ３５１、操作ユニット３０７、PC３０１が現れる（露出する）。また、メンテナンス用扉１５２を開けたときに現れる操作ユニット３０７とPC３０１のそれぞれの正面には、メンテナンス時に使用する操作ボタンが集中して設けられる。
【０１４０】
このような構成により、写真シール作成装置１の管理者は、プリンタ３５１の前方への取り出し、音量調整のためのツマミ操作、PC３０１のUSB端子の接続、PC３０１の電源スイッチ３０７−２の操作などを、１つの扉を開けるだけで行うことができる。シール紙を補充するときやインクカートリッジを交換する場合、管理者は、PCの電源をオフにした後、プリンタを筐体から取り出す必要がある。
【０１４１】
仮に、プリンタを取り出すための扉とPCの電源スイッチにアクセスするための扉がそれぞれ異なる位置に用意されているとした場合、管理者は、後者の扉を開けて電源スイッチを操作し、PCの電源をオフにした後に前者の扉の場所まで移動し、扉を開け、プリンタを取り出す必要があるが、そのような煩雑な作業を行う必要がない。
【０１４２】
また、音量調整のためのツマミに対して編集ユニット１２の側面、すなわちシール取り出し口１６１のある面からアクセスすることができるため、正面側や背面側で利用者が編集を行っている最中でも、管理者は音量調整を行うことができる。
【０１４３】
利用者は、シール取り出し口１６１の付近だけを見れば、その筐体がメンテナンス中であるかどうかを判断することができる。また、シール取り出し口１６１は通路に面していることが多いため、特に写真シール機を複数台設置したときに、通路側の一方向でメンテナンス作業が容易に（作業者の移動をあまり伴わずに）行うことができる。また、起動作業についても、容易に行うことができる。
【０１４４】
図１７は、各装置の重なりの状態の例を示す図である。
【０１４５】
図１７Ａに示すように、プリンタ３５１、操作ユニット３０７、PC３０１の各装置の中心が略一致するように（鉛直線上に並べて）設けられるのではなく、図１７Ｂに示すように、中心をずらして設けられるようにしてもよい。
【０１４６】
中心をずらした場合であっても、プリンタ３５１の高さを確保することが可能となる。
【０１４７】
図１８は、各装置の並び順の例を示す図である。
【０１４８】
図１８に示すように、操作ユニット３０７の上にPC３０１が設けられ、PC３０１の上に、プリンタ３５１が設けられるようにしてもよい。
【０１４９】
操作ユニット３０７とPC３０１の並び順を変えた場合であっても、プリンタ３５１の高さを確保することが可能となる。プリンタ３５１の高さを確保することにより、シール取り出し口１６１を高い位置に設けることが可能となる。PC３０１が操作ユニット３０７の上に設けられる場合であっても、シール取り出し口１６１は、PC３０１の上面より高い位置に設けられる。
【０１５０】
プリンタ３５１、操作ユニット３０７、PC３０１以外の他の構成が、これらの３つの構成とともに重ねて設けられるようにしてもよい。並び順は任意である。なお、プリンタ３５１を高い位置に設置した結果できたスペースに別のものを設置するようにしてもよい。
【０１５１】
また、操作ユニット３０７が設けられず、PC３０１の上方にプリンタ３５１が設けられるようにしてもよい。この場合、編集ユニット１２の筐体の内部には、PC３０１とプリンタ３５１が少なくとも設けられる。メンテナンス用扉１５２を開けたとき、上から順に、プリンタ３５１とPC３０１が現れる。
【０１５２】
編集ユニット１２の筐体の内部に収納される主な構成であるプリンタ３５１、操作ユニット３０７、PC３０１を縦に重ねて配置することにより、編集ユニット１２の側面の幅を狭くし、編集ユニット１２自体をコンパクトに形成することが可能となる。
【０１５３】
図１９は、編集ユニット１２の側面を示す図である。
【０１５４】
図８を参照して説明したパネル１５１，１５３，１５４が取り外された場合、編集ユニット１２の側面は、図１９に示すような外観となる。パネル１５１，１５３，１５４を取り外した場合の編集ユニット１２の正面を図２０に示す。
【０１５５】
図１９に示すように、プリンタ３５１、操作ユニット３０７、PC３０１を縦に重ねて配置することにより、編集ユニット１２の筐体の幅を抑えることが可能となる。編集ユニット１２の筐体の幅を抑えることによって、写真シール作成装置１全体のサイズを小型化することが可能となる。
【０１５６】
ここで、プリンタ３５１を高い位置に設置することによって、タブレット内蔵モニタ１３１の設置位置も高くなる。編集ユニット１２の正面側の斜面６２Ａには、図２０に示すようにタブレット内蔵モニタ１３１が設けられる。編集ユニット１２の背面側の斜面６２Ｂにも、正面側と同様にタブレット内蔵モニタ１３１が設けられる。
【０１５７】
タブレット内蔵モニタ１３１の設置位置を単に高くした場合、身長の低い利用者にとっては画面上部が見づらくなる。図１９の垂直軸Ｌに対する角度を小さくし、斜面６２Ａ，６２Ｂの傾斜を垂直面に近付けることにより、身長の低い利用者にとっても、正対した状態で画面全体を見やすくすることが可能となる。
【０１５８】
図２１は、タブレット内蔵モニタ１３１に表示される画面の見え方の例を示す図である。
【０１５９】
図２１Ａに示すように、プリンタ３５１の位置が低く、タブレット内蔵モニタ１３１の位置が低い場合、斜面６２Ａ，６２Ｂの傾斜が緩やかであっても、利用者は画面全体を正面から見ることができる。
【０１６０】
例えば、図２１Ｂに示すように、斜面６２Ａ，６２Ｂの傾斜をそのままに（図２１Ａの傾斜と同じ傾斜として）、タブレット内蔵モニタ１３１の位置を高くした場合、画面全体を正面から見ることができず、画面の上部が見づらくなる。
【０１６１】
図２１Ｃに示すように、タブレット内蔵モニタ１３１の位置を高くするとともに斜面６２Ａ，６２Ｂの傾斜を急峻にすることによって、画面全体を正面から見ることできる状態を確保することができ、画面の上部が見づらくなるようなことを防ぐことが可能となる。
【０１６２】
編集ユニット１２の斜面６２Ａ，６２Ｂは、図２１Ｃに示すように、画面の上部が見づらくなるようなことがないような傾斜を付けて形成される。
【０１６３】
＜シール取り出し口の構成＞
図２２は、シール取り出し口１６１の近傍の拡大図である。
【０１６４】
メンテナンス用扉１５２には横長長方形状の開口部１５２Ａが形成される。シール取り出し口１６１には、開口部１５２Ａを覆うようにフラップ５２１が設けられる。フラップ５２１は、透明の板状の部材により構成される。
【０１６５】
シール取り出し口１６１の位置を高くすることにより、シール取り出し口１６１の位置が低い場合と比べて、ほこりなどの筐体内への侵入を抑えることができるが、フラップ５２１を設けることにより、ほこりの侵入をより確実に抑えることが可能となる。
【０１６６】
図２２に示すように、フラップ５２１は、開口部１５２Ａの上縁の内側に設けられたヒンジを介して、内側に、すなわち、編集ユニット１２の筐体の内側で揺動可能となるように取り付けられる。
【０１６７】
フラップ５２１の可動方向を筐体の内側方向とすることにより、利用者は、フラップ５２１を片手で押し込み、その状態のままシール紙３６３を取り出すことができる。
【０１６８】
印刷済みのシール紙は、図２２に示すように、開口部１５２Ａの奥に設けられたシール紙受け部５１１に収納される。フラップ５２１を押し込んだ先に印刷済みのシール紙３６３があるため、利用者は、片手でフラップ５２１を開け、そのまま、片手でシール紙３６３を取り出すことができる。
【０１６９】
仮に、フラップの可動方向が筐体の外側の方向であるとした場合、利用者は、片方の手でフラップを持ち上げ、フラップを持ち上げている間に、他方の手でシール紙を取り出す必要がある。フラップ５２１の可動方向を筐体の内側方向とすることにより、そのような手間を省き、利用者の利便性を高めることが可能となる。
【０１７０】
図２３は、シール取り出し口１６１の構成例を示す断面図である。
【０１７１】
図２３において、縦方向に示すメンテナンス用扉１５２の右側が筐体の外側となり、左側が筐体の内側となる。図２３に示すように、開口部１５２Ａの内側にはシール紙受け部５１１が設けられる。シール紙受け部５１１は、印刷済みのシール紙３６３を収納する収納部として機能する。
【０１７２】
フラップ５２１は、開口部１５２Ａの上縁の内側に設けられた軸部としてのヒンジ５２１Ａに取り付けられる。図２３は、フラップ５２１が閉じた状態を示している。
【０１７３】
図２４は、フラップ５２１が開いた状態を示す図である。図２４に示すように、フラップ５２１は、シール紙受け部５１１の内部で揺動可能となっている。
【０１７４】
プリンタ３５１の排出口３５１−１から排出された印刷済みのシール紙３６３は、白抜き矢印で示すように、シール紙受け部５１１の上方に形成された開口から、シール紙受け部５１１の内部に入り、斜面５１１Ａ、斜面５１１Ｂによって、底面５１１Ｃに誘導される。底面５１１Ｃは細幅の略水平な面である。
【０１７５】
底面５１１Ｃの前方（メンテナンス用扉１５２の方向）には略垂直面の小さな面５１１Ｄが形成され、面５１１Ｄの上端から開口部１５２Ａの下縁の近傍に向けて斜面５１１Ｅが形成される。
【０１７６】
図２３に示すように、底面５１１Ｃの幅が狭いため、シール紙３６３は、下縁が底面５１１Ｃについたとき、斜面５１１Ｂに沿って、または、開口部１５２Ａの下縁の内側に形成された斜面５１１Ｅに沿って傾いた状態で収納される。いずれの場合においても、印刷面が外側から利用者に視認させることができる状態でシール紙３６３を保持することができる。
【０１７７】
底面５１１Ｃが開口部１５２Ａの下縁の位置Ｐより低い位置に形成されているため、フラップ５２１が押し込められた場合、シール紙３６３は、斜面５１１Ｅに沿って傾いていたとしても、図２３に示すように斜面５１１Ｂに沿って傾いた状態となる。この状態になった場合、フラップ５２１の開け閉めによってシール紙３６３が動くことがない。
【０１７８】
底面５１１Ｃが開口部１５２Ａの下縁より深く、フラップ５２１がシール紙３６３に干渉しないため、利用者はシール紙３６３を片手で容易に取り出すことができる。
【０１７９】
プリンタ３５１を高い位置に設け、シール取り出し口１６１を高くすることにより、このように、底面５１１Ｃが開口部１５２Ａの下縁より低い位置となるように、シール紙受け部５１１を取り付けることが可能となる。
【０１８０】
以上においては、編集ユニット１２の筐体の内部で揺動可能となるようにフラップ５２１が取り付けられるものとしたが、編集ユニット１２の筐体の外側で揺動可能となるように取り付けられるようにしてもよい。この場合、例えば、開口部１５２Ａの下縁の外側にヒンジが設けられ、そのヒンジにフラップ５２１が取り付けられる。
【０１８１】
フラップ５２１の可動方向を筐体の外側方向とすることにより、利用者は、フラップ５２１を片手で引き出し、その状態のままシール紙３６３を取り出すことができる。
【０１８２】
＜変形例＞
図２５は、シール取り出し口１６１の位置の他の例を示す図である。
【０１８３】
以上のような構成を有するシール取り出し口１６１が、図２５Ａに示すようにタブレット内蔵モニタ１３１の近くに設けられるようにしてもよい。利用者は、編集を終えた後、編集ユニット側面パネル６５の前方に移動することなく、印刷済みのシール紙を受け取ることができる。
【０１８４】
編集ユニット側面パネル６５にタブレット内蔵モニタ１３１が設けられている場合、そのモニタの近くにシール取り出し口１６１が設けられるようにしてもよい。
【０１８５】
図２５Ｂに示すように、薄幅の開口部を有するシール取り出し口１６１がタブレット内蔵モニタ１３１の近くに設けられるようにしてもよい。この場合、開口部１５２Ａの内側にはシール紙受け部５１１は設けられない。プリンタ３５１から排出されたシール紙は、挟まった状態でシール取り出し口１６１に保持される。
【０１８６】
以上においては、印刷媒体がシール紙である場合について説明したが、紙、樹脂製の部材、木片、布などの各種の印刷媒体を用いることが可能である。
【符号の説明】
【０１８７】
１  写真シール作成装置，  １１  撮影ユニット，  １２  編集ユニット，  ２０  事前選択部，  ２１  撮影部，  ２２  背景部，  ５１  外側背面パネル，  ５２Ａ，５２Ｂ  側面パネル，  ６５  編集ユニット側面パネル，  １３１  タブレット内蔵モニタ，  １５１  パネル，  １５２  メンテナンス用扉，  １５３，１５４  パネル，  １６１  シール取り出し口，  １６２  発光部，  １６３  スピーカ，  ３０１  PC，  ３０２  事前選択部，  ３０４  撮影部，  ３０５Ａ，３０５Ｂ  編集部，  ３０６  印刷部，  ４０１  事前選択処理部，  ４０２  撮影処理部，  ４０３  編集処理部，  ４０４  印刷処理部，  ５０１，５０２  仕切り部材，  ５１１  シール紙受け部
【図１】
2019184835.tif 000003
【図２】
2019184835.tif 000004
【図３】
2019184835.tif 000005
【図４】
2019184835.tif 000006
【図５】
2019184835.tif 000007
【図６】
2019184835.tif 000008
【図７】
2019184835.tif 000009
【図８】
2019184835.tif 000010
【図９】
2019184835.tif 000011
【図１０】
2019184835.tif 000012
【図１１】
2019184835.tif 000013
【図１２】
2019184835.tif 000014
【図１３】
2019184835.tif 000015
【図１４】
2019184835.tif 000016
【図１５】
2019184835.tif 000017
【図１６】
2019184835.tif 000018
【図１７】
2019184835.tif 000019
【図１８】
2019184835.tif 000020
【図１９】
2019184835.tif 000021
【図２０】
2019184835.tif 000022
【図２１】
2019184835.tif 000023
【図２２】
2019184835.tif 000024
【図２３】
2019184835.tif 000025
【図２４】
2019184835.tif 000026
【図２５】
2019184835.tif 000027